(57)【要約】【課題】樹脂シートを繊維製品に容易かつ確実に溶着できる溶着方法及び溶着機を提供することを目的とする。【解決手段】本発明の溶着機１０として、繊維製品１２に樹脂シート１４を重ね合わせ、その樹脂シート１４に、金属から成るリング状の熱媒体プレート１６を重ね合わせた状態で、熱媒体プレート１６に交流電気を発生させて繊維製品１２に樹脂シート１４を溶着する電磁誘導手段１８を備えて構成し、この溶着機１０を用いて維製品１２に樹脂シート１４を溶着する方法を、本発明の溶着方法とした。【選択図】  図１
2004148568.tif 000002
【特許請求の範囲】
【請求項１】
繊維製品に樹脂シートを重ね合わせるステップと、
該樹脂シートに、金属から成り円形状の中空部を有するリング形状の熱媒体プレートを重ね合わせるステップと、
電磁誘導手段によって該熱媒体プレートに交流電流を発生させるステップとを含む溶着方法。
【請求項２】
前記樹脂シートに熱媒体プレートを重ね合わせた後、該熱媒体プレートに平面プレートを重ね合わせるステップを含む請求項１に記載する溶着方法。
【請求項３】
繊維製品に樹脂シートを重ね合わせ、該樹脂シートに、金属から成り円形状の中空部を有するリング形状の熱媒体プレートを重ね合わせた状態で、該熱媒体プレートに交流電流を発生させて該繊維製品に樹脂シートを溶着する電磁誘導手段を含む溶着機。
【発明の詳細な説明】
【０００１】
【発明の属する技術分野】
本発明は、繊維製品等の繊維製品に樹脂シート等の樹脂シートを溶着する溶着方法及び溶着機に関する。
【０００２】
【従来の技術】
従来から、繊維製品の製造が生産ライン上で行われている。生産ライン上で製造を行うためには、工程管理が必要となる。工程管理方法の一例として、工程管理情報を表示したシートを製品に貼り付ける方法がある。この方法に用いる接着シートに関して出願がなされている（例えば、特許文献１参照。）。しかし、接着シートの場合、接着剤を使用するため、貼り付けても剥離するおそれがあった。また。接着シートを製造するためには、接着剤を塗布するコストが必要であった。
【０００３】
【特許文献１】
特開平１１−２５６１１２
【０００４】
【発明が解決しようとする課題】
そこで、本発明者は、このような課題の原因を究明してこのような課題を解決するべく、鋭意研究を重ねた結果、本発明に至ったのである。
【０００５】
すなわち、本発明は、剥離するおそれがなく、接着剤を使用することもなく、工程管理情報を表示したシートを製品に貼り付ける方法を提供することを目的とする。
【０００６】
【課題を解決するための手段】
本発明の溶着方法は、繊維製品に樹脂シートを重ね合わせるステップと、該樹脂シートに、金属から成り円形状の中空部を有するリング形状の熱媒体プレートを重ね合わせるステップと、電磁誘導手段によって該熱媒体プレートに交流電流を発生させるステップとを含むことを特徴とする。
【０００７】
本発明の溶着方法は、前記溶着方法において、前記樹脂シートに熱媒体プレートを重ね合わせた後、該熱媒体プレートに平面プレートを重ね合わせるステップを含むことを特徴とする。
【０００８】
本発明の溶着機は、繊維製品に樹脂シートを重ね合わせ、該樹脂シートに、金属から成り円形状の中空部を有するリング形状の熱媒体プレートを重ね合わせた状態で、該熱媒体プレートに交流電流を印加して該繊維製品に樹脂シートを溶着する電磁誘導手段を含むことを特徴とする。
【０００９】
【発明の実施の形態】
次に、本発明に係る溶着方法及び溶着機の実施の形態について、図面に基づいて詳しく説明する。
【００１０】
図１において、符号１０は、本発明の溶着機である。この溶着機１０は、繊維製品１２に樹脂シート１４を重ね合わせ、その樹脂シート１４に、金属から成るリング形状の熱媒体プレート１６を重ね合わせた状態で、熱媒体プレート１６に交流電流を発生させて繊維製品１２に樹脂シート１４を溶着する電磁誘導手段１８を備えている。
【００１１】
繊維製品１２は、製造工程を流れる途中の布生地等であり、衣服として完成する以前の製品である。樹脂シート１４は、溶着させやすいように、例えば、熱可塑性樹脂であるオレフィンポリマー（Ｏ．Ｐ．）から構成されている。また、樹脂シート１４は、バーコード等の工程管理情報を表示しており、各工程において繊維製品１２の製造番号、種類、又は品質等の工程管理情報を確認できる。
【００１２】
熱媒体プレート１６は、５００Ｗ程度の溶着機１０によって発生する交流電流及び熱に耐え得るように、例えば、アルミニウムから構成されている。熱媒体プレート１６の中空部２０は、交流電流を印加して溶着させる効率が高いように、真円形状に構成されている。中空部２０の直径は特に限定されないが、例えば２０ｃｍ乃至２ｃｍ程度である。
【００１３】
電磁誘導手段１８は、４ｋＨｚ程度の周波数の電磁波を発生して、熱媒体プレート１６に交流電流を発生させるように構成されている。なお、発振する電磁波の周波数は調節可能である。また、電磁誘導手段１８の底面は円形状に構成され、熱媒体プレート１６の中空部２０と対応している。なお、電磁誘導手段１８の底面の直径は、発振する電磁波の周波数に対応して構成することが好ましい。電磁誘導手段１８の形状は特に限定されないが、例えば、溶着機１０の中央部付近に設けられた電磁波発振手段と、電磁波発振手段の下部に設けられ、電磁波が分散しないように規制するアンテナとから構成される。
【００１４】
このような溶着機１０の作動について以下に説明することにより、本発明の溶着方法について説明する。
【００１５】
繊維製品１２の工程管理を行う場合、図１及び図２に示すように、繊維製品１２の上に樹脂シート１４を重ね合わせ、その樹脂シート１４の上に熱媒体プレート１６を重ね合わせた状態で、電磁誘導手段１８を起動させる。電磁誘導手段１８が起動することにより、一定の周波数の電磁波が発振させられ、電磁誘導により熱媒体プレート１６に交流電流が流れる。熱媒体プレート１６に交流電流が流れることにより、熱媒体プレート１６が発熱する。熱媒体プレート１６が発熱することにより、樹脂シート１４が溶けて繊維製品１２に溶着する。溶着部２２は、図３に示すように、熱媒体プレート１６と同じリング形状を形成する。
【００１６】
以上、本発明の一実施形態について説明したが、本発明の溶着方法及び溶着機は、その他の形態でも実施し得るものである。
【００１７】
例えば、図４に示すように、繊維製品１２の上に樹脂シート１４を重ね合わせ、その樹脂シート１４の上に熱媒体プレート１６を重ね合わせ、その熱媒体プレート１６に平面プレート２４を重ね合わせた状態で、電磁誘導手段１８によって熱媒体プレート１６に交流電流を発生させても良い。平面プレート２４は非金属製の誘電体から構成される。この場合、熱媒体プレート１６を平面的に押さえることができるため、樹脂シート１４を繊維製品１２に斑無く溶着することができる。
【００１８】
また、図５に示すように、より寸法の小さな樹脂シート１４の上に熱媒体プレート１６の一部を重ね合わせた状態で、電磁誘導手段１８によって熱媒体プレート１６に交流電流を発生させることにより、熱媒体プレート１６の一部によって繊維製品１２に溶着しても良い。この場合、リング形状の一部である湾曲形状の溶着部が形成される。
【００１９】
また、図６に示すように、樹脂シート１４の上に重ね合わせた熱媒体プレート１６の中に、より小さいリング形状の熱媒体プレート２６を載置した状態で、電磁誘導手段１８によって熱媒体プレート１６及び熱媒体プレート２６に交流電流を発生させることにより、樹脂シート１４を繊維製品１２に溶着しても良い。
【００２０】
以上、本発明の実施形態について図面に基づいて説明したが、本発明の溶着方法及び溶着機は、図示しない形態でも実施し得るものである。
【００２１】
例えば、繊維製品及び樹脂シートは繊維製であっても樹脂製であっても良いが、少なくとも繊維製品及び樹脂シートの一方が熱可塑性であることが好ましい。
【００２２】
その他、本発明の技術的範囲には、その趣旨を逸脱しない範囲で当業者の知識に基づき種々なる改良，修正，変形を加えた態様も含まれる。また、同一の作用又は効果が生じる範囲内で、いずれかの発明特定事項を他の技術に置換した形態で実施しても良い。
【００２３】
【発明の効果】
本発明の溶着方法及び溶着機によれば、電磁誘導手段によって、工程管理情報を表示した樹脂シートを繊維製品等に溶着することができる。このため、工程管理情報を表示した樹脂シートを繊維製品等に容易に貼り付けて、容易に工程管理を行うことができる。また、溶着によって貼り付けるため、剥離するおそれがない。さらに、電磁誘導によって溶着を行うため、厚みのある溶着物、表面が熱に弱い溶着物、又は凹凸のある溶着物等、ヒートプレスでは難しい溶着物を容易に溶着できる。
【００２４】
また、本発明の溶着方法によれば、中空部が円形状であるため、最も効率的に溶着することができる。これは、本発明者が実際に実験を行って得られた結論である。推論であるが、中空部が円形状ならば、交流電流が最も効率的に発生し効率的に熱が発生することによるものと考えられる。
【００２５】
また、本発明の溶着方法によれば、工程管理情報を表示する樹脂シートとして、繊維製品に溶着しやすい樹脂シートを使用するため、工程管理情報を表示する樹脂シートを強固かつ容易に繊維製品に貼り付けることができる。
【００２６】
また、平面プレートを重ね合わせるステップを含む本発明の溶着方法によれば、樹脂シートに重ね合わせた熱媒体プレートを平面的に押さえることにより、樹脂シートを繊維製品に斑無く溶着することができる。
【図面の簡単な説明】
【図１】本発明の溶着方法及び溶着機を示す斜視図である。
【図２】図１の溶着方法及び溶着機を示す正面断面図である。
【図３】図１の溶着方法を説明するための平面図である。
【図４】本発明の溶着方法の他の実施形態を示す正面断面図である。
【図５】本発明の溶着方法の更に他の実施形態を示す正面断面図である。
【図６】本発明の溶着方法の更に他の実施形態を示す正面断面図である。
【符号の説明】
１０：溶着機
１２：繊維製品
１４：樹脂シート
１６、２６：熱媒体プレート
１８：電磁誘導手段
２０：中空部
２４：平面プレート
【図１】
2004148568.tif 000003
【図２】
2004148568.tif 000004
【図３】
2004148568.tif 000005
【図４】
2004148568.tif 000006
【図５】
2004148568.tif 000007
【図６】
2004148568.tif 000008